【手続補正書】
【提出日】平成28年11月1日(2016.11.1)
【手続補正１】
【補正対象書類名】明細書
【補正対象項目名】０００９
【補正方法】変更
【補正の内容】
【０００９】
上記した目的を達成するために、本発明にかかる遊技機は、それぞれ複数種類の図柄を可変表示する複数の可変表示列を有する表示手段と、前記表示手段の可変表示を開始させるスタートスイッチと、前記各可変表示列それぞれに対応してその可変表示を停止させる複数のストップスイッチとを有する遊技機において、少なくとも遊技の進行に関する制御を行うメイン制御部と、前記メイン制御部から送信された情報に基づき遊技の進行に合わせた演出の制御を行うサブ制御部とを備え、前記メイン制御部は、それぞれ複数の役から成る特定集合当選が複数あり、それぞれ遊技者に有利になる前記ストップスイッチの操作態様が異なる前記複数ある特定集合当選を含む複数の役抽選結果のいずれかに当選したか否かの抽選を行う役抽選手段と、前記各ストップスイッチの操作に基づき、前記表示手段により可変表示されている前記各図柄を当該役抽選結果に対応した表示態様で停止させる停止制御手段と、前記停止制御手段により停止制御されて停止した前記表示手段による前記各図柄の表示態様の判定を行う図柄判定手段と、前記図柄判定手段による判定結果に基づき、遊技者に所定の利益を付与する利益付与手段と、前記各ストップスイッチの操作に関して遊技者に有利な操作態様がわかる報知をするかどうかの決定を行う報知決定手段と、前記報知決定手段により、遊技者に有利な操作態様を報知しないと決定されたときには前記特定集合当選の種類を識別できないコマンドを作成し、遊技者に有利な操作態様を報知すると決定されたときには前記特定集合当選の種類を識別可能なコマンドを作成するコマンド作成手段と、前記コマンド作成手段により作成されたコマンドを前記サブ制御部に送信するコマンド送信手段とを備え、前記サブ制御部は、受信したコマンドに応じて演出の内容を決定するとともに、受信したコマンドが前記特定集合当選の種類を識別可能なコマンドであれば、遊技者に有利な操作態様を報知する演出の制御を行い、前記メイン制御部も、前記サブ制御部による演出と同時に、有利な操作態様の報知を行うことを特徴としている（請求項１）。
【手続補正２】
【補正対象書類名】明細書
【補正対象項目名】００１０
【補正方法】変更
【補正の内容】
【００１０】
また、本発明にかかる遊技機は、それぞれ複数種類の図柄を可変表示する複数の可変表示列を有する表示手段と、前記表示手段の可変表示を開始させるスタートスイッチと、前記各可変表示列それぞれに対応してその可変表示を停止させる複数のストップスイッチとを有する遊技機において、少なくとも遊技の進行に関する制御を行うメイン制御部と、前記メイン制御部から送信された情報に基づき遊技の進行に合わせた演出の制御を行うサブ制御部とを備え、前記メイン制御部は、特定役を含む複数の役抽選結果のいずれかに当選したか否かの抽選を行う役抽選手段と、前記特定役に当選したときに、前記各ストップスイッチの操作に関して、予め設定された遊技者に対する有利度の異なる複数の操作態様のなかからいずれかを決定する操作態様決定手段と、前記各ストップスイッチの操作に基づき、前記表示手段により可変表示されている前記各図柄を当該役抽選結果に対応した表示態様で停止させる停止制御手段と、前記停止制御手段により停止制御されて停止した前記表示手段による前記各図柄の表示態様の判定を行う図柄判定手段と、前記図柄判定手段による判定結果に基づき、遊技者に所定の利益を付与する利益付与手段と、前記操作態様決定手段により決定された前記操作態様を報知するかどうかの決定を行う報知決定手段と、前記報知決定手段により、前記操作態様決定手段により決定された前記操作態様を報知しないと決定されたときには当該操作態様を識別できないコマンドを作成し、前記操作態様決定手段により決定された前記操作態様を報知すると決定されたときには当該操作態様を識別可能なコマンドを作成するコマンド作成手段と、前記コマンド作成手段により作成されたコマンドを前記サブ制御部に送信するコマンド送信手段とを備え、前記サブ制御部は、受信したコマンドに応じて演出の内容を決定するとともに、受信したコマンドが前記操作態様を識別可能なコマンドであれば、遊技者に有利な操作態様を報知する演出の制御を行い、前記メイン制御部も、前記サブ制御部による演出と同時に、有利な操作態様の報知を行うことを特徴としている（請求項２）。
【手続補正３】
【補正対象書類名】明細書
【補正対象項目名】００１１
【補正方法】変更
【補正の内容】
【００１１】
請求項１の発明によれば、各ストップスイッチの操作に関して遊技者に有利な操作態様がわかる報知をするかどうかは、メイン制御部において報知決定手段により決定される。そして、報知決定手段により、遊技者に有利な操作態様を報知しないと決定されたときには当該当選した特定集合当選の種類を識別できないコマンドがコマンド作成手段により作成され、遊技者に有利な操作態様を報知すると決定されたときには当該当選した特定集合当選の種類を識別可能なコマンドがコマンド作成手段により作成されて、コマンド送信手段によりサブ制御部に送信される。したがって、サブ制御部に改造を加えたり、途中の信号線からコマンドを抽出したりしても、本来報知を受けることができない遊技では有利となる操作態様を知ることはできず、不正を未然に防止することができる。また、メイン制御部も、サブ制御部による演出と同時に有利な操作態様の報知を行うため、メイン制御部とサブ制御部とがともにＡＴ期間中であることを確認でき、不正や故障を早期に発見することができる。
【手続補正４】
【補正対象書類名】明細書
【補正対象項目名】００１２
【補正方法】変更
【補正の内容】
【００１２】
請求項２の発明によれば、決定された操作態様を報知するかどうかは、メイン制御部において報知決定手段により決定される。そして、報知決定手段により、当該操作態様を報知しないと決定されたときには当該操作態様を識別できないコマンドがコマンド作成手段により作成され、当該操作態様を報知すると決定されたときには当該操作態様を識別可能なコマンドがコマンド作成手段により作成されて、コマンド送信手段によりサブ制御部に送信される。したがって、サブ制御部に改造を加えたり、途中の信号線からコマンドを抽出したりしても、本来報知を受けることができない遊技では有利となる操作態様を知ることはできず、不正を未然に防止することができる。また、メイン制御部も、サブ制御部による演出と同時に有利な操作態様の報知を行うため、メイン制御部とサブ制御部とがともにＡＴ期間中であることを確認でき、不正や故障を早期に発見することができる。
【手続補正５】
【補正対象書類名】特許請求の範囲
【補正対象項目名】全文
【補正方法】変更
【補正の内容】
【特許請求の範囲】
【請求項１】
それぞれ複数種類の図柄を可変表示する複数の可変表示列を有する表示手段と、前記表示手段の可変表示を開始させるスタートスイッチと、前記各可変表示列それぞれに対応してその可変表示を停止させる複数のストップスイッチとを有する遊技機において、
少なくとも遊技の進行に関する制御を行うメイン制御部と、
前記メイン制御部から送信された情報に基づき遊技の進行に合わせた演出の制御を行うサブ制御部とを備え、
前記メイン制御部は、
それぞれ複数の役から成る特定集合当選が複数あり、それぞれ遊技者に有利になる前記ストップスイッチの操作態様が異なる前記複数ある特定集合当選を含む複数の役抽選結果のいずれかに当選したか否かの抽選を行う役抽選手段と、
前記各ストップスイッチの操作に基づき、前記表示手段により可変表示されている前記各図柄を当該役抽選結果に対応した表示態様で停止させる停止制御手段と、
前記停止制御手段により停止制御されて停止した前記表示手段による前記各図柄の表示態様の判定を行う図柄判定手段と、
前記図柄判定手段による判定結果に基づき、遊技者に所定の利益を付与する利益付与手段と、
前記各ストップスイッチの操作に関して遊技者に有利な操作態様がわかる報知をするかどうかの決定を行う報知決定手段と、
前記報知決定手段により、遊技者に有利な操作態様を報知しないと決定されたときには前記特定集合当選の種類を識別できないコマンドを作成し、遊技者に有利な操作態様を報知すると決定されたときには前記特定集合当選の種類を識別可能なコマンドを作成するコマンド作成手段と、
前記コマンド作成手段により作成されたコマンドを前記サブ制御部に送信するコマンド送信手段とを備え、
前記サブ制御部は、受信したコマンドに応じて演出の内容を決定するとともに、受信したコマンドが前記特定集合当選の種類を識別可能なコマンドであれば、遊技者に有利な操作態様を報知する演出の制御を行い、
前記メイン制御部も、前記サブ制御部による演出と同時に、有利な操作態様の報知を行うことを特徴とする遊技機。
【請求項２】
それぞれ複数種類の図柄を可変表示する複数の可変表示列を有する表示手段と、前記表示手段の可変表示を開始させるスタートスイッチと、前記各可変表示列それぞれに対応してその可変表示を停止させる複数のストップスイッチとを有する遊技機において、
少なくとも遊技の進行に関する制御を行うメイン制御部と、
前記メイン制御部から送信された情報に基づき遊技の進行に合わせた演出の制御を行うサブ制御部とを備え、
前記メイン制御部は、
特定役を含む複数の役抽選結果のいずれかに当選したか否かの抽選を行う役抽選手段と、
前記特定役に当選したときに、前記各ストップスイッチの操作に関して、予め設定された遊技者に対する有利度の異なる複数の操作態様のなかからいずれかを決定する操作態様決定手段と、
前記各ストップスイッチの操作に基づき、前記表示手段により可変表示されている前記各図柄を当該役抽選結果に対応した表示態様で停止させる停止制御手段と、
前記停止制御手段により停止制御されて停止した前記表示手段による前記各図柄の表示態様の判定を行う図柄判定手段と、
前記図柄判定手段による判定結果に基づき、遊技者に所定の利益を付与する利益付与手段と、
前記操作態様決定手段により決定された前記操作態様を報知するかどうかの決定を行う報知決定手段と、
前記報知決定手段により、前記操作態様決定手段により決定された前記操作態様を報知しないと決定されたときには当該操作態様を識別できないコマンドを作成し、前記操作態様決定手段により決定された前記操作態様を報知すると決定されたときには当該操作態様を識別可能なコマンドを作成するコマンド作成手段と、
前記コマンド作成手段により作成されたコマンドを前記サブ制御部に送信するコマンド送信手段とを備え、
前記サブ制御部は、受信したコマンドに応じて演出の内容を決定するとともに、受信したコマンドが前記操作態様を識別可能なコマンドであれば、遊技者に有利な操作態様を報知する演出の制御を行い、
前記メイン制御部も、前記サブ制御部による演出と同時に、有利な操作態様の報知を行うことを特徴とする遊技機。